(57)【要約】【課題】伝送路上の全範囲の障害点標定を行い、光伝送の信頼性の向上を図る。【解決手段】障害点標定部１１ｃは、光ファイバＬ１に試験パルスを送出し、試験反射光を同一光ファイバＬ１から受信することで、光ファイバＬ１上の障害箇所を標定する。光増幅部３１は、遠隔から送信された励起光により光主信号を増幅する。反射器３２は、試験反射光を反射する。光結合部３３は、光増幅部３１の出力段に設置され、光の進行方向によって結合するポートが異なる機能を持ち、試験パルスを対向へ送出し、かつ反射器から反射された試験反射光を、試験パルスを送出した端局装置１０へ戻す。【選択図】        図１
2004228813.tif 000002
【特許請求の範囲】
【請求項１】
無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験反射光を反射する反射器と、前記光増幅部の出力段に設置され、光の進行方向によって結合するポートが異なる機能を持ち、試験光を対向へ送出し、かつ前記反射器から反射された試験反射光を、試験光を送出した端局装置へ戻す光結合部と、から構成され、端局装置の送信側に設けられる送信リモートアンプと、
を有することを特徴とする光伝送システム。
【請求項２】
前記光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする請求項１記載の光伝送システム。
【請求項３】
前記光結合部は、端局装置が送出した試験光を第１ポートから第２ポートへ通過させて対向へ送出し、試験反射光を第２ポートから受信して第３ポートへ出力して、第３ポートに接続した前記反射器で反射された試験反射光を、第３ポートから第１ポートへ出力させることで、試験反射光を端局装置へ戻すことを特徴とする請求項２記載の光伝送システム。
【請求項４】
無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験光を反射する反射器と、前記光増幅部の入力段に設置され、光の進行方向によって結合するポートが異なる機能を持ち、試験反射光を試験光を送出した端局装置へ送出し、かつ前記反射器で反射された試験光を対向へ送出する光結合部と、から構成され、端局装置の受信側に設けられる受信リモートアンプと、
を有することを特徴とする光伝送システム。
【請求項５】
無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験反射光を反射する第１の反射器と、前記光増幅部の入力段に設置され、光の進行方向によって結合するポートが異なる機能を持ち、試験光を対向へ送出し、かつ前記第１の反射器で反射された試験反射光を、試験光を送出した端局装置へ戻す入力段光結合部と、試験反射光を反射する第２の反射器と、前記光増幅部の出力段に設置され、光の進行方向によって結合するポートが異なる機能を持ち、試験光を対向へ送出し、かつ前記第２の反射器で反射された試験反射光を、試験光を送出した端局装置へ戻す出力段光結合部と、から構成され、端局装置の送信側に設けられる送信リモートアンプと、
を有することを特徴とする光伝送システム。
【発明の詳細な説明】
【０００１】
【発明の属する技術分野】
本発明は、光伝送システムに関し、特に無中継の光伝送を行う光伝送システムに関する。
【０００２】
【従来の技術】
光通信ネットワークは、一層のサービスの高度化、広域化が望まれており、情報化社会に向けて急速に開発が進んでいる。また、近年では、無中継の光伝送システムが注目されている。
【０００３】
大洋横断級の海底光伝送では、光ファイバケーブルの途中に中継器が設けられるが、無中継システムは、例えば、大洋横断を除く大陸と島、または島間をつなぐ場合などに適用されるもので、伝送路に中継器を置かない光伝送システムである。この無中継システムは、建設コストを削減でき、低料金でのサービスが可能となるため、信頼性の高いシステム構築の要求が高まっている。
【０００４】
さらに、近年になって無中継システムの伝送距離をさらに伸ばしたいという要望があり、このため、両端局から所定距離離れた伝送路上にリモートアンプを設置して、局から送出された励起光（Ｐｕｍｐ光）により、リモートアンプ内で光信号を増幅することで伝送距離を拡張したシステムが開発されている。
【０００５】
ここで、無中継システムにおける伝送距離の概略の目安を示すと、ラマン増幅機能やリモートアンプがない場合は最大２５０ｋｍ程度、局にラマン増幅機能を設けると最大３２０ｋｍ程度である。また、局にラマン増幅機能を設け、かつリモートアンプをファイバ上に設置すると、３００ｋｍ以上となる（ただし、これらの伝送距離は、信号の波長数によって変化する）。
【０００６】
図２１はリモートアンプが設置された従来の無中継システムの構成を示す図である。無中継システム１００は、両端局に局１１０、１２０を有し、光ファイバの回線Ｌ１側にリモートアンプ１３１、１３２が設置し、光ファイバの回線Ｌ２側にリモートアンプ１４１、１４２が設置する。
【０００７】
局１１０は、送信部１１１、受信部１１２から構成され、局１２０は、送信部１２１、受信部１２２から構成される。リモートアンプ１３１は、ＥＤＦ（Ｅｒｂｉｕｍ−Ｄｏｐｅｄ  Ｆｉｂｅｒ）１３１ａ、アイソレータ１３１ｂから構成され、リモートアンプ１３２は、ＥＤＦ１３２ａ、アイソレータ１３２ｂから構成される。また、リモートアンプ１４１は、ＥＤＦ１４１ａ、アイソレータ１４１ｂから構成され、リモートアンプ１４２は、ＥＤＦ１４２ａ、アイソレータ１４２ｂから構成される。なお、リモートアンプは、局の受信側だけに設置するようなシステム構成にしてもよい（リモートアンプ１３２、１４２のみ設置する）。
【０００８】
ここで、リモートアンプ１３１の動作について説明する。送信部１１１からは、光主信号の他に励起光も送出されて、エルビウム（Ｅｒ３＋）が添加されたＥＤＦ１３１ａにおいて、光主信号を増幅する（例えば、１５５０ｎｍ帯の光主信号を増幅するために１４８０ｎｍの励起光を出力する）。
【０００９】
そして、増幅された光信号は、アイソレータ１３１ｂを通過して、回線Ｌ１上を局１２０へ向かって流れる。アイソレータとは、図の矢印方向にのみ光を通し、逆方向には光を通さないデバイスである。
【００１０】
一方、光信号は、光ファイバ上を流れると、レイリー散乱が起きて、光信号の進行方向とは逆方向にレイリー散乱光が生じる。この反射光は、ＥＤＦ１３１ａに戻ってきて増幅され、光主信号と重なると雑音となり、光主信号のＳ／Ｎを劣化させる（反射光は、光主信号と同一波長であり、同じ波長の信号が重なるとＳ／Ｎ劣化の原因となる）。これを防止するために、リモートアンプ１３１には、図の位置にアイソレータ１３１ｂを入れて、光ファイバによるレイリー散乱による反射光を防いでいる。
【００１１】
リモートアンプ１３２、１４１、１４２の動作も同様である。なお、リモートアンプ１３１、１４１に対しては、それぞれ送信部１１１、１２１から励起光が送信され、リモートアンプ１３２、１４２に対しては、それぞれ受信部１２２、１１２から励起光が送信されてくる。
【００１２】
また、リモートアンプ１３１、１４１のアイソレータ１３１ｂ、１４１ｂそれぞれは、ＥＤＦ１３１ａ、１４１ａのアンプ出力段側に配置され、リモートアンプ１３２、１４２のアイソレータ１３２ｂ、１４２ｂそれぞれは、ＥＤＦ１３２ａ、１４２ａのアンプ入力段側に配置される。
【００１３】
一方、海底の光伝送システムは、海中部分の光ファイバに障害（断線や光損失の増大等）が生じた場合、その修理に多額の費用と時間を要するため、最も厳しい信頼性が要求されている。したがって、万が一、障害が発生した場合には、適確に障害箇所の位置を把握できるような、障害点標定（検出）機能を具備しておく必要がある。
【００１４】
通常、障害箇所の標定には、後方散乱測定法であるＯＴＤＲ（Ｏｐｔｉｃａｌ  Ｔｉｍｅ  Ｄｏｍａｉｎ  Ｒｅｆｌｅｃｔｏｍｅｔｅｒ）が用いられている。ＯＴＤＲとは、光ファイバ中に試験パルスを送出し、その光ファイバから戻ってくる試験反射光（ＯＴＤＲ反射光）を測定することによって、障害箇所を標定する試験方法である。近年のＯＴＤＲは、最小受光レベルが改善されてダイナミックレンジが拡大しており、通常は、４０ｄＢ程度のダイナミックレンジで、２００ｋｍ程度の障害点標定を可能とする。
【００１５】
図２２はＯＴＤＲの概要を示す図である。図のグラフは、光ファイバに試験パルスを送出して、光ファイバ材料固有のレイリー散乱によって戻ってきたＯＴＤＲ反射光を示しており、縦軸は光パワー、横軸は時間である。
【００１６】
ＯＴＤＲ反射光の光パワーは、時間が経つにつれ減少していくが、光ファイバに障害箇所があると、時刻ｔ１のように、ＯＴＤＲ反射光のパワーに変化が生じる（光ファイバに破断点などがあるとフレネル反射が生じるため）。したがって、時刻ｔ１に対応する位置（光ファイバ長はあらかじめわかっているので、時刻ｔ１における光ファイバの位置は把握できる）に障害があると判断できる。
【００１７】
従来、ＯＴＤＲを使用しての光ファイバ障害検出として、アウトバンドファイバとインバンドファイバとの間でテスト信号（ＯＴＤＲ反射光）が転送できるように構成して、障害箇所を標定するシステムが提案されている（例えば、特許文献１）。
【００１８】
【特許文献１】
特表２０００−５０６６０２号公報（第１１頁，第２図）
【００１９】
【発明が解決しようとする課題】
しかし、図２１で上述したような従来の無中継システム１００では、リモートアンプ内にレイリー散乱光を防ぐためのアイソレータが設置されているために、雑音となる反射光のみならず、ＯＴＤＲ反射光もリモートアンプより先から戻ってこないため、リモートアンプ以降の障害点の標定ができないといった問題があった。
【００２０】
図２３は従来の無中継システムの問題点を示す図である。図２３は、図２１で示したシステムの送信部１１１及びリモートアンプ１３１の周辺を示している。送信部１１１から試験パルスを回線Ｌ１上に送出すると、区間ｈ１の光ファイバ上のＯＴＤＲ反射光（試験パルスが区間ｈ１の光ファイバ上でレイリー散乱した反射光）は、送信部１１１に戻ってくる。
【００２１】
ところが、リモートアンプ１３１以降の区間ｈ２では、リモートアンプ１３１内にアイソレータ１３１ｂが図の位置に存在するため、区間ｈ２の光ファイバ上のＯＴＤＲ反射光は、送信部１１１に戻ることができない。このため、図に示すような位置に障害箇所があっても標定することができないといった問題があった。
【００２２】
一方、従来技術（特表２０００−５０６６０２号公報）は有中継システムの障害点標定として提案されている。図２４は従来技術を説明するための図である。従来技術のシステムは、局３１０、３２０が、中継局３３０を介してアウトバンドファイバとインバンドファイバで接続する。中継局３３０には、アイソレータ機能を含む光アンプ３３１、３３２が設置され、光アンプ３３１、３３２の出力段には、対回線と接続するための結合部３３１ａ、３３２ａがそれぞれ設置される。
【００２３】
ここで、局３１０からアウトバンドファイバを通じて、試験パルスを送出した場合、もし、結合部３３１ａが存在しなければ、中継局３３０と局３２０との間のアウトバンドファイバ上におけるＯＴＤＲ反射光は、光アンプ３３１で遮断されて、局３１０に到達することはできないが、従来技術では、結合部３３１ａが設けてあり、これにより、アウトバンドファイバ上のＯＴＤＲ反射光は、インバンドファイバ側へ流れて局３１０側に到達できるようになっている。
【００２４】
しかし、この従来技術のシステムでは、局３１０のインバンド側から送信された試験パルスは、中継局３３０より先には行かないため、インバンドファイバの中継局３３０より先のファイバのモニタは局３２０から行う必要がある。このため、無中継システムのように３００ｋｍ以上の伝送距離においては、局３２０からインバンドファイバの中継局３３０（光アンプ３３２）の近傍までモニタができない（図中の斜線部のモニタができない）場合が生じてくる（有中継方式では、中継局間の間隔が狭い（１００ｋｍ以下）のため問題にならない）。また、アウトバンドは局３１０からモニタし、インバンドファイバの中継局以降は、局３２０からしかモニタできないといった制約がでてしまい、システム上不便な構成となるといった問題があった。
【００２５】
本発明はこのような点に鑑みてなされたものであり、伝送路上の全範囲の障害点標定を行い、光伝送の信頼性の向上を図った光伝送システムを提供することを目的とする。
【００２６】
【課題を解決するための手段】
本発明では上記課題を解決するために、図１に示すような、無中継の光伝送を行う光伝送システム１において、光ファイバＬ１に試験光を送出し、試験反射光を同一光ファイバＬ１から受信することで、光ファイバＬ１上の障害箇所を標定する障害点標定部１１ｃを有する端局装置１０と、遠隔から送信された励起光により光主信号を増幅する光増幅部３１と、試験反射光を反射する反射器３２と、光増幅部３１の出力段に設置され、光の進行方向によって結合するポートが異なる機能を持ち、試験光を対向へ送出し、かつ反射器から反射された試験反射光を、試験光を送出した端局装置１０へ戻す光結合部３３と、から構成され、端局装置１０の送信側に設けられる送信リモートアンプ３０と、を有することを特徴とする光伝送システム１が提供される。
【００２７】
ここで、障害点標定部１１ｃは、光ファイバＬ１に試験光を送出し、試験反射光を同一光ファイバＬ１から受信することで、光ファイバＬ１上の障害箇所を標定する。光増幅部３１は、遠隔から送信された励起光により光主信号を増幅する。反射器３２は、試験反射光を反射する。光結合部３３は、光増幅部３１の出力段に設置され、光の進行方向によって結合するポートが異なる機能を持ち、試験光を対向へ送出し、かつ反射器から反射された試験反射光を、試験光を送出した端局装置１０へ戻す。
【００２８】
【発明の実施の形態】
以下、本発明の実施の形態を図面を参照して説明する。図１は本発明の光伝送システムの原理図である。本発明の光伝送システム１は、端局装置１０、２０を有し、光ファイバＬ１に送信リモートアンプ３０、受信リモートアンプ４０が設置し、光ファイバＬ２に送信リモートアンプ５０、受信リモートアンプ６０が設置して、伝送路上に中継器を持たずに無中継で光伝送を行うシステムである。
【００２９】
なお、システム構成としては、光ファイバＬ１、Ｌ２上に、送信リモートアンプだけを設置する構成としてもよいし、または受信リモートアンプだけを設置する構成としてもよい。
【００３０】
端局装置１０は、送信部１１、受信部１２から構成され、端局装置２０は、送信部２１、受信部２２から構成される。送信部１１、２１は共に同じ機能を有し、受信部１２、２２は共に同じ機能を有する。さらに、送信リモートアンプ３０、５０は共に同じ機能を有し、受信リモートアンプ４０、６０は共に同じ機能を有する。なお、光ファイバＬ１側の構成要素の動作と、光ファイバＬ２側の構成要素の動作とは同じなので、以降の説明では、光ファイバＬ１側を中心に説明する。
【００３１】
端局装置１０の送信部１１は、障害点標定部１１ｃを有する。障害点標定部１１ｃは、光ファイバＬ１上の障害点標定を行うために試験光を送出する。また、その試験反射光を同一光ファイバＬ１から受信することで、光ファイバＬ１上の障害箇所を標定する。障害点標定としては、ＯＴＤＲを行うものとし、以下、試験光を試験パルス、試験反射光をＯＴＤＲ反射光と呼ぶ。
【００３２】
送信リモートアンプ３０は、光増幅部（以下、ＥＤＦ）３１、反射器３２、光結合部（以下、サーキュレータ）３３とから構成される。ＥＤＦ３１は、遠隔から送信された（送信部１１から送信された）励起光により光主信号を増幅する。
【００３３】
反射器３２は、ＯＴＤＲ反射光を反射する。反射器３２は、例えば、ＦＢＧ（ファイバ・ブラッグ・グレーティング：光ファイバの軸に沿って、コアに周期的な屈折率分布を持たせて、コア内にグレーティング（回折格子）を形成したもの）、膜（多層膜）、反射鏡＋フィルタなどで構成する。
【００３４】
サーキュレータ３３は、光の進行方向によって結合するポートが異なる機能を持ち（図２で後述）、ＥＤＦ３１の出力段に設置される。そして、試験パルスを対向へ（端局装置２０の方向へ）送出し、反射器３２で反射されたＯＴＤＲ反射光を、試験パルスを送出した端局装置１０へ戻す。
【００３５】
図２はサーキュレータ３３の光の進行方向を示す図である。サーキュレータ３３は、３ポートの循環型のポート構成を有し、ポートＰ１（第１ポート）に入力した光をポートＰ２（第２ポート）から出力し、ポートＰ２に入力した光をポートＰ３（第３ポート）から出力し、ポートＰ３に入力した光をポートＰ１から出力する。すなわち、Ｐ１→Ｐ２、Ｐ２→Ｐ３、Ｐ３→Ｐ１の方向に進む光は低損失で、逆方向であるＰ１→Ｐ３、Ｐ３→Ｐ２、Ｐ２→Ｐ１の方向に進む光は高損失で透過される。
【００３６】
図３は送信リモートアンプ３０の動作を説明するための図である。送信リモートアンプ３０は、ＥＤＦ３１、反射器３２、サーキュレータ３３から構成され、サーキュレータ３３はＥＤＦ３１の出力段に設置し、反射器３２はサーキュレータ３３のポートＰ３に接続する。
〔Ｓ１〕端局装置１０から送出された光主信号及び試験パルスは、送信リモートアンプ３０に入射すると、ＥＤＦ３１で増幅され、サーキュレータ３３のポートＰ１からポートＰ２へ通過する。なお、端局装置１０からの励起光によって、ＥＤＦ３１は励起される。
〔Ｓ２〕ポートＰ２から出力された光主信号及び試験パルスに対し、光ファイバＬ１のレイリー散乱によって、光主信号の戻り光とＯＴＤＲ反射光が生じる。光主信号の戻り光とＯＴＤＲ反射光は、ポートＰ２に戻ってきてポートＰ３から出力する。
〔Ｓ３〕反射器３２は、ＯＴＤＲ反射光をポートＰ３側に反射する。すなわち、試験パルスの波長をλＡとすると、反射器３２は、ＯＴＤＲ反射光の波長λＡのみを反射し、波長λＡ以外の光は反射しない。
〔Ｓ４〕反射器３２により反射したＯＴＤＲ反射光は、ポートＰ３に入力し、ポートＰ１から出力する。
〔Ｓ５〕ＯＴＤＲ反射光は、試験パルスを送出した端局装置１０へ戻される。
【００３７】
このように、本発明の送信リモートアンプ３０では、アイソレータの代わりにサーキュレータ３３を用い、反射器３２でＯＴＤＲ反射光を反射させる構成とした。これにより、光主信号の戻り光によるＳ／Ｎ劣化を防止すると共に、試験パルスを送出した端局装置１０へＯＴＤＲ反射光を戻すことができるので、無中継のシステムに対して、伝送路上の全範囲の障害点標定を行うことが可能になる。
【００３８】
図４は受信リモートアンプ４０の動作を説明するための図である。受信リモートアンプ４０は、ＥＤＦ４１、反射器４２、サーキュレータ４３から構成され、サーキュレータ４３はＥＤＦ４１の入力段に設置し、反射器４２はサーキュレータ４３のポートＰ３に接続する。
〔Ｓ１１〕端局装置２０から送出された試験パルスは、受信リモートアンプ４０に入射すると、ＥＤＦ４１を介して、サーキュレータ４３のポートＰ２からポートＰ３へ通過する。なお、端局装置２０からの励起光によって、ＥＤＦ４１は励起される。
〔Ｓ１２〕反射器４２は、試験パルスをポートＰ３側に反射する。すなわち、試験パルスの波長をλＡとすると、反射器４２は、試験パルスの波長λＡのみを反射し、波長λＡ以外の光は反射しない。
〔Ｓ１３〕反射器４２により反射した試験パルスは、ポートＰ３に入力し、ポートＰ１から出力して、光ファイバＬ１上で対向へ（端局装置１０の方向へ）流れていく。
〔Ｓ１４〕端局装置１０から送信された光主信号と、光ファイバＬ１のレイリー散乱によるＯＴＤＲ反射光は、ポートＰ１に入力し、ポートＰ２から出力する。
〔Ｓ１５〕光主信号及びＯＴＤＲ反射光は、ＥＤＦ４１で増幅されて、端局装置２０へ送信される。
【００３９】
このように、本発明の受信リモートアンプ４０では、アイソレータの代わりにサーキュレータ４３を用い、反射器４２で試験パルスを反射させる構成とした。これにより、光主信号の戻り光によるＳ／Ｎ劣化を防止すると共に、試験パルスを送出した端局装置２０へＯＴＤＲ反射光を戻すことができるので、無中継のシステムに対して、伝送路上の全範囲の障害点標定を行うことが可能になる。
【００４０】
次に端局装置１０の構成及び動作について説明する。図５は端局装置１０の構成を示す図である。端局装置１０は、送信部１１と受信部１２を有し、送信部１１は、光主信号送信部１１ａ、送信側励起光出力部１１ｂ、送信側障害点標定部１１ｃ、送信側光合成部１１ｄから構成され、送信側光合成部１１ｄは、ＷＤＭカプラ１１ｄ−１、分岐比が決められたカプラ（ＷＤＭカプラを用いてもよい）１１ｄ−２を含む。
【００４１】
受信部１２は、光主信号受信部１２ａ、受信側励起光出力部１２ｂ、受信側障害点標定部１２ｃ、受信側光合成部１２ｄから構成され、受信側光合成部１２ｄは、ＷＤＭカプラ１２ｄ−１、分岐比が決められたカプラ（ＷＤＭカプラを用いてもよい）１２ｄ−２を含む。
【００４２】
送信部１１に対し、光主信号送信部１１ａは、光主信号の送信を行う。送信側励起光出力部１１ｂは、送信リモートアンプへの励起光を出力する。送信側障害点標定部１１ｃは、光ファイバＬ１に対して、試験パルスを送出し、光ファイバＬ１からのＯＴＤＲ反射光を受信することで、光ファイバＬ１上の障害箇所を標定する。
【００４３】
ＷＤＭカプラ１１ｄ−１は、光主信号と励起光とを多重し、カプラ１１ｄ−２は、ＷＤＭカプラ１１ｄ−１で多重された光信号に試験パルスを多重して、光ファイバＬ１から出力する（例えば、１５５０ｎｍ帯の光主信号と、１４８０ｎｍ帯の励起光とが多重され、この多重光に１６００ｎｍ帯の試験パルスが多重される）。また、カプラ１１ｄ−２は、光ファイバＬ１からのＯＴＤＲ反射光を受信すると、送信側障害点標定部１１ｃへ出力する。
【００４４】
受信部１２に対し、光主信号受信部１２ａは、光主信号の受信を行う。受信側励起光出力部１２ｂは、受信リモートアンプへの励起光を出力する。受信側障害点標定部１２ｃは、光ファイバＬ２に対して、試験パルスを送出し、光ファイバＬ２からのＯＴＤＲ反射光を受信することで、光ファイバＬ２上の障害箇所を標定する。
【００４５】
カプラ１２ｄ−２は、ＷＤＭカプラ１２ｄ−１からの励起光と、試験パルスとを多重して、光ファイバＬ２上へ出力する。また、カプラ１２ｄ−２は、対向からの光主信号をＷＤＭカプラ１２ｄ−１へ送出し、戻ってきたＯＴＤＲ反射光を受信側障害点標定部１２ｃへ送出する。光主信号は、ＷＤＭカプラ１２ｄ−１を通じて光主信号受信部１２ａで受信される。なお、端局装置２０の構成及び動作も同様である。
【００４６】
次にサーキュレータを２台設けて障害点標定を行う本発明のシステムについて説明する。アンプゲインが大きいと、リモートアンプには、ＥＤＦの出力段だけでなく、入力段側にもアイソレータが必要になってくる。最初にこの理由について説明する。
【００４７】
図６はＥＤＦの入力段にアイソレータが設置されていない場合を示す図である。アンプゲインが大きいと、ＥＤＦ１５１から漏れ出すＡＳＥ（Ａｍｐｌｉｆｉｅｄ  Ｓｐｏｎｔａｎｅｏｕｓ  Ｅｍｉｓｓｉｏｎ）の量も多くなる。すると、ＥＤＦ１５１の入力段にアイソレータが存在しない場合、Ａ方向に向かったＡＳＥにより、ＡＳＥの反射光が生成し、ＡＳＥ反射光がＥＤＦ１５１へ入射することになり、Ｓ／Ｎ劣化を引き起こすことになる（なお、ＥＤＦ１５１の出力段にはすでにアイソレータ１７１があるので、Ａ方向とは逆方向に向かったＡＳＥの反射光は、ＥＤＦ１５１には戻らない）。
【００４８】
図７はＥＤＦの入力段にアイソレータが設置してある場合を示す図である。この場合には、ＥＤＦ１５１の入力段の位置にアイソレータ１６１があるので、ＡＳＥはアイソレータ１６１より先のＡ方向には進むことはできない。したがって、ＡＳＥの反射光がＥＤＦ１５１に入力することはない（なお、アイソレータ１６１の反射減衰量は大きいので、ＡＳＥはＥＤＦ１５１に戻るほどアイソレータ１６１で反射することはない）。
【００４９】
次にサーキュレータを２台設けた送信／受信リモートアンプそれぞれについて説明する。図８はサーキュレータを２台用いた場合の送信リモートアンプを示す図である。送信リモートアンプ３０ａは、ＥＤＦ３１、反射器３２ａ−１（第１の反射器）、反射器３２ａ−２（第２の反射器）、サーキュレータ３３ａ−１（入力段光結合部）、サーキュレータ３３ａ−２（出力段光結合部）から構成され、ＥＤＦ３１の入力段にサーキュレータ３３ａ−１が設置し、出力段にサーキュレータ３３ａ−２が設置する。また、反射器３２ａ−１は、サーキュレータ３３ａ−１のポートＰ３に接続し、反射器３２ａ−２は、サーキュレータ３３ａ−２のポートＰ３に接続する。
〔Ｓ２１ａ〕端局装置１０から送出された光主信号及び試験パルスは、送信リモートアンプ３０ａに入射すると、サーキュレータ３３ａ−１のポートＰ１からポートＰ２へ通過する。そして、ＥＤＦ３１で増幅され、サーキュレータ３３ａ−２のポートＰ１からポートＰ２へ通過して、光ファイバＬ１から送出する。なお、端局装置１０からの励起光は、サーキュレータ３３ａ−１のポートＰ１からポートＰ２へ通過し、ＥＤＦ３１を励起する。
〔Ｓ２２ａ〕光主信号の戻り光とＯＴＤＲ反射光は、サーキュレータ３３ａ−２のポートＰ２に入力し、ポートＰ３から出力する。
〔Ｓ２３ａ〕反射器３２ａ−２は、ＯＴＤＲ反射光をポートＰ３側に反射する。
〔Ｓ２４ａ〕反射器３２ａ−２により反射したＯＴＤＲ反射光は、サーキュレータ３３ａ−２のポートＰ３に入力し、ポートＰ１から出力する。
〔Ｓ２５ａ〕ＯＴＤＲ反射光は、ＥＤＦ３１を介して、サーキュレータ３３ａ−１のポートＰ２に入力し、ポートＰ３から出力する。
〔Ｓ２６ａ〕反射器３２ａ−１は、ＯＴＤＲ反射光をポートＰ３側に反射する。
〔Ｓ２７ａ〕反射器３２ａ−１により反射したＯＴＤＲ反射光は、サーキュレータ３３ａ−１のポートＰ３に入力し、ポートＰ１から出力して、試験パルスを送出した端局装置１０へ戻る。
【００５０】
図９はサーキュレータを２台用いた場合の受信リモートアンプを示す図である。受信リモートアンプ４０ａは、ＥＤＦ４１、反射器４２ａ−１（第２の反射器）、反射器４２ａ−２（第１の反射器）、サーキュレータ４３ａ−１（入力段光結合部）、サーキュレータ４３ａ−２（出力段光結合部）から構成され、ＥＤＦ４１の入力段にサーキュレータ４３ａ−１が設置し、出力段にサーキュレータ４３ａ−２が設置する。また、反射器４２ａ−１は、サーキュレータ４３ａ−１のポートＰ３に接続し、反射器４２ａ−２は、サーキュレータ４３ａ−２のポートＰ３に接続する。
〔Ｓ２１ｂ〕端局装置２０から送出された試験パルス及び励起光は、受信リモートアンプ４０ａに入射すると、サーキュレータ４３ａ−２のポートＰ２からポートＰ３へ通過する。
〔Ｓ２２ｂ〕反射器４２ａ−２は、試験パルス及び励起光をポートＰ３側に反射する。
〔Ｓ２３ｂ〕反射器４２ａ−２により反射した試験パルス及び励起光は、サーキュレータ４３ａ−２のポートＰ３に入力し、ポートＰ１から出力する。
〔Ｓ２４ｂ〕励起光は、ＥＤＦ４１を励起し、試験反射光は、ＥＤＦ４１を介して、サーキュレータ４３ａ−１のポートＰ２に入力し、ポートＰ３から出力する。
〔Ｓ２５ｂ〕反射器４２ａ−１は、試験パルスをポートＰ３側に反射する。
〔Ｓ２６ｂ〕反射器４２ａ−１により反射した試験パルスは、サーキュレータ４３ａ−１のポートＰ３に入力し、ポートＰ１から出力して、試験パルスは光ファイバＬ１から送出される。
〔Ｓ２７ｂ〕光主信号及びＯＴＤＲ反射光は、受信リモートアンプ４０ａに入射すると、サーキュレータ４３ａ−１のポートＰ１からポートＰ２へ通過する。そして、ＥＤＦ４１で増幅され、サーキュレータ４３ａ−２のポートＰ１からポートＰ２へ通過して、光ファイバＬ１から送出されて、ＯＴＤＲ反射光は端局装置２０へ戻る。
【００５１】
次にサーキュレータを２台設けたシステムの第１の変形例について説明する。第１の変形例は、ＥＤＦを迂回させる構成である。図１０は第１の変形例の送信リモートアンプを示す図である。送信リモートアンプ３０ｂは、ＥＤＦ３１、光フィルタ部３２ｂ、サーキュレータ３３ｂ−１、３３ｂ−２から構成される。ＥＤＦ３１の入力段には、サーキュレータ３３ｂ−１が設置し、ＥＤＦ３１の出力段にサーキュレータ３３ｂ−２が設置する。また、光フィルタ部３２ｂは、サーキュレータ３３ｂ−１、３３ｂ−２それぞれのポートＰ３に接続する。
〔Ｓ３１ａ〕端局装置１０から送出された光主信号及び試験パルスは、送信リモートアンプ３０ｂに入射すると、サーキュレータ３３ｂ−１のポートＰ１からポートＰ２へ通過する。そして、ＥＤＦ３１で増幅され、サーキュレータ３３ｂ−２のポートＰ１からポートＰ２へ通過して、光ファイバＬ１から送出する。なお、端局装置１０からの励起光は、サーキュレータ３３ｂ−１のポートＰ１からポートＰ２へ通過し、ＥＤＦ３１を励起する。
〔Ｓ３２ａ〕光主信号の戻り光とＯＴＤＲ反射光は、サーキュレータ３３ｂ−２のポートＰ２に入力し、ポートＰ３から出力する。
〔Ｓ３３ａ〕光フィルタ部３２ｂは、ＯＴＤＲ反射光のみを透過する。
〔Ｓ３４ａ〕光フィルタ部３２ｂにより透過したＯＴＤＲ反射光は、サーキュレータ３３ｂ−１のポートＰ３に入力し、ポートＰ１から出力して、試験パルスを送出した端局装置１０へ戻る。
【００５２】
図１１は第１の変形例の受信リモートアンプを示す図である。受信リモートアンプ４０ｂは、ＥＤＦ４１、光フィルタ部４２ｂ、サーキュレータ４３ｂ−１、４３ｂ−２から構成される。また、光フィルタ部４２ｂは、試験パルスを透過するフィルタ４２ｂ−１と、励起光を反射する反射器４２ｂ−２から構成される。
【００５３】
また、ＥＤＦ４１の入力段には、サーキュレータ４３ｂ−１が設置し、ＥＤＦ４１の出力段にサーキュレータ４３ｂ−２が設置する。そして、光フィルタ部４２ｂは、サーキュレータ４３ｂ−１、４３ｂ−２それぞれのポートＰ３に接続する。
〔Ｓ３１ｂ〕端局装置２０から送出された試験パルス及び励起光は、受信リモートアンプ４０ｂに入射すると、サーキュレータ４３ｂ−２のポートＰ２からポートＰ３へ通過する。
〔Ｓ３２ｂ〕反射器４２ｂ−２は、励起光をポートＰ３側に反射する。
〔Ｓ３３ｂ〕フィルタ４２ｂ−１は、試験パルスを透過する。
〔Ｓ３４ｂ〕反射器４２ｂ−２により反射した励起光は、サーキュレータ４３ｂ−２のポートＰ３に入力し、ポートＰ１から出力し、ＥＤＦ４１を励起する。
〔Ｓ３５ｂ〕フィルタ４２ｂ−１により透過した試験パルスは、サーキュレータ４３ｂ−１のポートＰ３に入力し、ポートＰ１から出力して、光ファイバＬ１上へ送出される。
〔Ｓ３６ｂ〕光主信号及びＯＴＤＲ反射光は、受信リモートアンプ４０ｂに入射すると、サーキュレータ４３ｂ−１のポートＰ１からポートＰ２へ通過する。そして、ＥＤＦ４１で増幅され、サーキュレータ４３ｂ−２のポートＰ１からポートＰ２へ通過して、光ファイバＬ１から送出されて、ＯＴＤＲ反射光は端局装置２０へ戻る。
【００５４】
次にサーキュレータを２台設けたシステムの第２の変形例について説明する。第２の変形例は、波長を変えることによって、ＥＤＦを迂回する場合と、迂回しない場合とを選択可能とする構成である。
【００５５】
ここで、励起光源が故障して励起光を送出できなかったり、保守作業等で安全確保のため、励起光の送出を停止するような場合、このようなときに試験パルスを流してＯＴＤＲ反射光を受信しようとすると、励起されていないＥＤＦを通過することになるので、ＥＤＦ自体がＬｏｓｓとなってしまう。
【００５６】
したがって、励起光を出力しない場合には、ＯＴＤＲ反射光がＥＤＦを迂回させるようにし、励起光を出力できる場合には、ＥＤＦを迂回させない（ＥＤＦを通過させる）ようにするものである。このような制御を行うことで、励起光を出力しない場合、往復でＥＤＦを通過することがなくなるので（試験パルスはＥＤＦを通過するが、ＯＴＤＲ反射光はＥＤＦを通過しない）、Ｌｏｓｓを最小限に抑えることができる。
【００５７】
図１２は第２の変形例の送信リモートアンプを示す図である。送信リモートアンプ３０ｃは、ＥＤＦ３１、光フィルタ部３２ｃ、サーキュレータ３３ｃ−１、３３ｃ−２から構成され、光フィルタ部３２ｃは、反射器３２ｃ−１、３２ｃ−２と、フィルタ３２ｃ−３とから構成される。
【００５８】
また、ＥＤＦ３１の入力段にサーキュレータ３３ｃ−１が設置し、ＥＤＦ３１の出力段にサーキュレータ３３ｃ−２が設置し、光フィルタ部３２ｃは、サーキュレータ３３ｃ−１、３３ｃ−２それぞれのポートＰ３に接続する。
【００５９】
ここで、反射器３２ｃ−１、３２ｃ−２は、波長λＢ（第２の波長）の光を反射し、フィルタ３２ｃ−３は、波長λＡ（第１の波長）の光を透過するものとする。また、ステップＳ４１ａ〜ステップＳ４５ａまでが励起光を出力する場合、ステップＳ４６ａ〜ステップＳ４９ａが励起光を出力しない場合の動作である。
〔Ｓ４１ａ〕端局装置１０から送出された光主信号及び試験パルス（波長λＢ）は、送信リモートアンプ３０ｃに入射すると、サーキュレータ３３ｃ−１のポートＰ１からポートＰ２へ通過する。そして、ＥＤＦ３１で増幅され、サーキュレータ３３ｃ−２のポートＰ１からポートＰ２へ通過して、光ファイバＬ１から送出する。なお、端局装置１０からの励起光は、サーキュレータ３３ｃ−１のポートＰ１からポートＰ２へ通過し、ＥＤＦ３１を励起する。
〔Ｓ４２ａ〕光主信号の戻り光とＯＴＤＲ反射光（波長λＢ）は、サーキュレータ３３ｃ−２のポートＰ２に入力し、ポートＰ３から出力する。
〔Ｓ４３ａ〕光フィルタ部３２ｃの反射器３２ｃ−２は、ＯＴＤＲ反射光（波長λＢ）を反射する。そして、ＯＴＤＲ反射光は、サーキュレータ３３ｃ−２のポートＰ３に入力し、ポートＰ１から出力する。
〔Ｓ４４ａ〕ＯＴＤＲ反射光は、ＥＤＦ３１を介して、サーキュレータ３３ｃ−１のポートＰ２に入力し、ポートＰ３から出力する。
〔Ｓ４５ａ〕ＯＴＤＲ反射光（λＢ）は、反射器３２ｃ−１で反射され、サーキュレータ３３ｃ−１のポートＰ３に入力し、ポートＰ１から出力して、試験パルスを送出した端局装置１０へ戻る。
〔Ｓ４６ａ〕端局装置１０から送出された光主信号及び試験パルス（波長λＡ）は、送信リモートアンプ３０ｃに入射すると、サーキュレータ３３ｃ−１のポートＰ１からポートＰ２へ通過する。そして、サーキュレータ３３ｃ−２のポートＰ１からポートＰ２へ通過して、光ファイバＬ１から送出する。
〔Ｓ４７ａ〕光主信号の戻り光とＯＴＤＲ反射光（波長λＡ）は、サーキュレータ３３ｃ−２のポートＰ２に入力し、ポートＰ３から出力する。
〔Ｓ４８ａ〕光フィルタ部３２ｃのフィルタ３２ｃ−３は、ＯＴＤＲ反射光（波長λＡ）を透過する。
〔Ｓ４９ａ〕透過したＯＴＤＲ反射光は、サーキュレータ３３ｃ−１のポートＰ３に入力し、ポートＰ１から出力して、試験パルスを送出した端局装置１０へ戻る。
【００６０】
図１３は第２の変形例の受信リモートアンプを示す図である。受信リモートアンプ４０ｃは、ＥＤＦ４１、光フィルタ部４２ｃ、サーキュレータ４３ｃ−１、４３ｃ−２から構成され、光フィルタ部４２ｃは、反射器４２ｃ−１、４２ｃ−２と、フィルタ４２ｃ−３とから構成される。
【００６１】
また、ＥＤＦ４１の入力段にサーキュレータ４３ｃ−１が設置し、ＥＤＦ４１の出力段にサーキュレータ４３ｃ−２が設置し、光フィルタ部４２ｃは、サーキュレータ４３ｃ−１、４３ｃ−２それぞれのポートＰ３に接続する。
【００６２】
ここで、反射器４２ｃ−１、４２ｃ−２は、波長λＢ（第２の波長）、λＣの光を反射し、フィルタ４２ｃ−３は、波長λＡ（第１の波長）の光を透過するものとする。また、ステップＳ４１ｂ〜ステップＳ４５ｂまでが励起光を出力する場合、ステップＳ４６ｂ〜ステップＳ４９ｂが励起光を出力しない場合の動作である。
〔Ｓ４１ｂ〕端局装置２０から送出された試験パルス（λＢ）及び励起光（λＣ）は、受信リモートアンプ４０ｃに入射すると、サーキュレータ４３ｃ−２のポートＰ２からポートＰ３へ通過する。
〔Ｓ４２ｂ〕反射器４２ｃ−２は、試験パルス及び励起光をポートＰ３側に反射する。反射器４２ｃ−２により反射した試験パルス及び励起光は、サーキュレータ４３ｃ−２のポートＰ３に入力し、ポートＰ１から出力する。
〔Ｓ４３ｂ〕励起光は、ＥＤＦ４１を励起する。試験パルスは、ＥＤＦ４１を介して、サーキュレータ４３ｃ−１のポートＰ２に入力して、ポートＰ３から出力する。
〔Ｓ４４ｂ〕反射器４２ｃ−１は、試験パルス（λＢ）をポートＰ３側に反射する。反射器４２ｃ−１により反射した試験パルスは、サーキュレータ４３ｃ−１のポートＰ３に入力し、ポートＰ１から出力して、試験パルスは光ファイバＬ１上を送出される。
〔Ｓ４５ｂ〕光主信号及びＯＴＤＲ反射光は、受信リモートアンプ４０ｃに入射すると、サーキュレータ４３ｃ−１のポートＰ１からポートＰ２へ通過する。そして、ＥＤＦ４１で増幅され、サーキュレータ４３ｃ−２のポートＰ１からポートＰ２へ通過して、光ファイバＬ１から送出されて、ＯＴＤＲ反射光は端局装置２０へ戻る。
〔Ｓ４６ｂ〕端局装置２０から送出された試験パルス（λＡ）は、受信リモートアンプ４０ｃに入射すると、サーキュレータ４３ｃ−２のポートＰ２からポートＰ３へ通過する。
〔Ｓ４７ｂ〕光フィルタ部４２ｃのフィルタ４２ｃ−３は、ＯＴＤＲ反射光（波長λＡ）を透過する。
〔Ｓ４８ｂ〕透過したＯＴＤＲ反射光は、サーキュレータ４３ｃ−２のポートＰ３に入力し、ポートＰ１から出力する。
〔Ｓ４９ｂ〕光主信号及びＯＴＤＲ反射光は、受信リモートアンプ４０ｃに入射すると、サーキュレータ４３ｃ−１のポートＰ１からポートＰ２へ通過する。そして、ＥＤＦ４１を介して、サーキュレータ４３ａ−２のポートＰ１からポートＰ２へ通過して、光ファイバＬ１から送出されて、ＯＴＤＲ反射光は端局装置２０へ戻る。
【００６３】
次に光主信号を流す回線とは別の回線から励起光を送出する構成において、障害点標定を行う本発明のシステムについて説明する。受信局側にリモートアンプが２段構成で入ったり、より高いパワーをＥＤＦに送る際には、光主信号が流れるファイバとは別のファイバでＥＤＦに励起光を送る場合がある。本発明は、このような構成において、障害点標定を行うものである。
【００６４】
図１４は励起光の送出の別回線が設けられた受信リモートアンプを示す図である。受信リモートアンプ４０ｄは、ＥＤＦ４１、反射器４２ｄ、サーキュレータ４３ｄ、ＷＤＭカプラ４４ｄから構成され、ＥＤＦ４１の出力段側にサーキュレータ４３ｄが設置し、サーキュレータ４３ｄのポートＰ３に反射器４２ｄが接続する。また、ＷＤＭカプラ４４ｄは、ＥＤＦ４１の出力段側とサーキュレータ４３ｄのポートＰ１との間に設置する。
〔Ｓ５１〕端局装置２０から回線Ｌ１から送出された試験パルスは、受信リモートアンプ４０ｄに入射すると、サーキュレータ４３ｄのポートＰ２からポートＰ３へ通過する。
〔Ｓ５２〕端局装置２０から別回線Ｌ１ａから送出された励起光は、受信リモートアンプ４０ｄに入射すると、ＷＤＭカプラ４４ｄを通じて合波し、ＥＤＦ４１を励起する。
〔Ｓ５３〕反射器４２ｄは、試験パルスをポートＰ３側に反射する。反射器４２ｄより反射した試験パルスは、サーキュレータ４３ｄのポートＰ３に入力し、ポートＰ１から出力して、試験パルスは光ファイバＬ１上を対向へ送出される。
〔Ｓ５４〕光主信号及びＯＴＤＲ反射光は、受信リモートアンプ４０ｄに入射すると、ＥＤＦ４１で増幅され、サーキュレータ４３ｄのポートＰ１からポートＰ２へ通過する。そして、光ファイバＬ１から送出されて、ＯＴＤＲ反射光は端局装置２０へ戻る。
【００６５】
次に別回線を設けたシステムに対し、本発明の第１の変形例について説明する。第１の変形例は、別回線から励起光をサーキュレータで合波させる構成である。図１５は第１の変形例の受信リモートアンプを示す図である。
【００６６】
受信リモートアンプ４０ｅは、ＥＤＦ４１、反射器４２ｅ、サーキュレータ４３ｅから構成され、ＥＤＦ４１の出力段側にサーキュレータ４３ｅが設置し、サーキュレータ４３ｅのポートＰ３に反射器４２ｅが接続する。また、別回線Ｌ１ａは、反射器４２ｅに接続する。
〔Ｓ６１〕端局装置２０から回線Ｌ１から送出された試験パルスは、受信リモートアンプ４０ｅに入射すると、サーキュレータ４３ｅのポートＰ２からポートＰ３へ通過する。
〔Ｓ６２〕端局装置２０から別回線Ｌ１ａから送出された励起光は、受信リモートアンプ４０ｅに入射すると、反射器４２ｅを介して、サーキュレータ４３ｅのポートＰ３に入力し、ポートＰ１から出力して、ＥＤＦ４１を励起する。
〔Ｓ６３〕反射器４２ｅは、試験パルスをポートＰ３側に反射する。反射器４２ｅより反射した試験パルスは、サーキュレータ４３ｅのポートＰ３に入力し、ポートＰ１から出力して、試験パルスは光ファイバＬ１上を対向へ送出される。
〔Ｓ６４〕光主信号及びＯＴＤＲ反射光は、受信リモートアンプ４０ｅに入射すると、ＥＤＦ４１で増幅され、サーキュレータ４３ｅのポートＰ１からポートＰ２へ通過する。そして、光ファイバＬ１から送出されて、ＯＴＤＲ反射光は端局装置２０へ戻る。
【００６７】
次に別回線を設けたシステムの第２の変形例について説明する。第２の変形例は、回線Ｌ１から第１の試験パルスを送出し、別回線Ｌ１ａから励起光と第２の試験パルスとを送出して、ファイバの区間毎に障害点標定を行うものである。
【００６８】
図１６は第２の変形例の受信リモートアンプを示す図である。受信リモートアンプ４０ｆは、ＥＤＦ４１、サーキュレータ４３ｆから構成され、ＥＤＦ４１の出力段側にサーキュレータ４３ｆが設置する。また、別回線Ｌ１ａは、サーキュレータ４３ｆのポートＰ３に接続する。
〔Ｓ７１〕端局装置２０の第１の障害点標定部２０１は、回線Ｌ１から第１の試験パルスを送出する。そして、第１の試験パルスによるＯＴＤＲ反射光を受信することで、受信リモートアンプ４０ｆと端局装置２０との間のファイバ区間Ｈ１上の障害点標定を行う。
〔Ｓ７２〕端局装置２０の第２の障害点標定部２０２は、別回線Ｌ１ａから第２の試験パルス及び励起光を送出する。そして、第２の試験パルスによるＯＴＤＲ反射光を受信することで、受信リモートアンプ４０ｆと端局装置２０との間のファイバ区間Ｈ２上の障害点標定を行う。
〔Ｓ７３〕端局装置２０の第２の障害点標定部２０２から別回線Ｌ１ａから送出された励起光は、受信リモートアンプ４０ｆに入射すると、サーキュレータ４３ｆのポートＰ３に入力し、ポートＰ１から出力して、ＥＤＦ４１を励起する。
〔Ｓ７４〕端局装置２０の第２の障害点標定部２０２から別回線Ｌ１ａから送出された第２の試験パルスは、受信リモートアンプ４０ｆに入射すると、サーキュレータ４３ｆのポートＰ３に入力し、ポートＰ１から出力して、対向へ送出される。
〔Ｓ７５〕光主信号及びＯＴＤＲ反射光は、受信リモートアンプ４０ｆに入射すると、ＥＤＦ４１で増幅され、サーキュレータ４３ｆのポートＰ１からポートＰ２へ通過する。そして、光ファイバＬ１から送出されて、ＯＴＤＲ反射光は端局装置２０の第１の障害点標定部２０１へ送出される。そして、第１の障害点標定部２０１において、区間Ｈ３の障害点標定が行われる。
【００６９】
次に別回線を設けたシステムの第３の変形例について説明する。第３の変形例は、別回線Ｌ１ａからの励起光をＥＤＦの前方から励起する場合である。
図１７は第３の変形例の受信リモートアンプを示す図である。受信リモートアンプ４０ｇは、ＥＤＦ４１、サーキュレータ４３ｇ、ＷＤＭカプラ４４ｇから構成され、ＥＤＦ４１の出力段側にサーキュレータ４３ｇが設置し、ＥＤＦ４１の入力段側にＷＤＭカプラ４４ｇが設置する。また、ＷＤＭカプラ４４ｇは、別回線Ｌ１ａと、サーキュレータ４３ｇのポートＰ３に接続する。
〔Ｓ８１〕端局装置２０から別回線Ｌ１ａから送出された励起光は、受信リモートアンプ４０ｇに入射すると、ＷＤＭカプラ４４ｇを介して合波し、ＥＤＦ４１を励起する（通常、ＥＤＦの励起として、後方励起を行うと、前方励起よりもパワーは大きくなるが、ノイズも大きくなりやすい。また、前方励起では、後方励起よりもパワーは小さくなるが、ノイズも少ない）。
〔Ｓ８２〕端局装置２０から別回線Ｌ１ａから送出された試験パルスは、受信リモートアンプ４０ｇに入射すると、ＷＤＭカプラ４４ｇを介して、サーキュレータ４３ｇのポートＰ３に入力し、ポートＰ１から出力して対向へ送出される。
〔Ｓ８３〕光主信号及びＯＴＤＲ反射光は、受信リモートアンプ４０ｇに入射すると、ＥＤＦ４１で増幅され、サーキュレータ４３ｇのポートＰ１からポートＰ２へ通過する。そして、光ファイバＬ１から送出されて、ＯＴＤＲ反射光は端局装置２０へ戻る。
【００７０】
次にファイバ断監視信号を送出してＯＴＤＲとファイバ断との両方の監視を可能にする本発明のシステムについて説明する。無中継システムでは、信号パワーが＋３０ｄＢｍと高出力のため、伝送路の途中でファイバが断になった場合、人体保護のため励起光の送出を停止したり、または人体に問題ない出力（＋１０ｄＢｍ程度）までパワーを下げる必要がある。
【００７１】
従来の有中継システムでは、受信局で信号が断になったことを検出して、光出力を止めるような構成をとっているが、無中継システムの場合、受信局での受信レベルがもともと低いことや、ラマン励起などを行っている際は、ラマン励起によって雑音／ＡＳＥ光が発生するなどの理由で、受信端での断検出は困難であった。
【００７２】
したがって、人体保護を目的とすれば、光パワーの高い区間でのファイバ断を判断すればよいので、本発明では、無中継のシステムに対し、リモートアンプ内部で光を折り返すことによって、リモートアンプまでの区間の断を検出する構成とする。
【００７３】
図１８はＯＴＤＲ及びファイバ断監視を行う本発明の光伝送システムを示す図である。なお、図では、一方の端局側の構成のみ示す。光伝送システム７は、端局装置８０とリモートアンプ７０を有し、端局装置８０は障害点標定部８１と光ファイバ断検出部８２から構成される。リモートアンプ７０は、ＥＤＦ７１、反射器７２、サーキュレータ７３、ファイバ断監視信号折り返し部７４から構成される。
〔Ｓ９１〕端局装置８０の障害点標定部８１から送出された試験パルス（λＡ）は、リモートアンプ７０内のサーキュレータ７３のポートＰ２→ポートＰ３に進み、反射器７２で反射され、サーキュレータ７３のポートＰ３→ポートＰ１を通り伝送路に伝達される。
〔Ｓ９２〕ＯＴＤＲ反射光は、サーキュレータ７３のポートＰ１→ポートＰ２を通過し、端局装置８０の障害点標定部８１へ戻ることによりリモートアンプ７０より先の障害点標定を行う。
〔Ｓ９３〕端局装置８０の光ファイバ断検出部８２から、光ファイバＬ１を通じて送出されたファイバ断監視信号（λＸ）は、リモートアンプ７０内のサーキュレータ７３のポートＰ２→ポートＰ３を通り、反射器７２を通過し、ファイバ断監視信号折り返し部７４によって、光ファイバＬ２を通じて光ファイバ断検出部８２にフィードバックされる。
【００７４】
これにより、端局装置８０でファイバ断監視信号の検出を行うことにより、ファイバ断検出を可能とする。そして、ファイバ断監視信号が検出できなかった場合には、断しているものとみなして、励起光の光源やラマンの光源の出力を停止したりする。
【００７５】
次にファイバ断監視信号折り返し部７４の構成例について説明する。図１９はファイバ断監視信号折り返し部７４の構成を示す図である。ファイバ断監視信号折り返し部７４は、サーキュレータ７４ａを含む。サーキュレータ７４ａのポートＰ３から入力したファイバ断監視信号は、ポートＰ１へ出力して、端局装置８０へ向かう。また、端局装置８０からの光ファイバＬ２を通じての信号は、ポートＰ１からポートＰ２へ進む。
【００７６】
図２０はファイバ断監視信号折り返し部７４の構成を示す図である。ファイバ断監視信号折り返し部７４は、ＷＤＭカプラ（または分岐比が決められたカプラを用いてもよい）７４ｂを含む。ＷＤＭカプラ７４ｂのポートＰ３から入力したファイバ断監視信号は、ポートＰ１へ出力して、端局装置８０へ向かう。また、端局装置８０からの光ファイバＬ２を通じての信号は、ポートＰ１からポートＰ２へ進む。
【００７７】
（付記１）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験反射光を反射する反射器と、前記光増幅部の出力段に設置され、光の進行方向によって結合するポートが異なる機能を持ち、試験光を対向へ送出し、かつ前記反射器から反射された試験反射光を、試験光を送出した端局装置へ戻す光結合部と、から構成され、端局装置の送信側に設けられる送信リモートアンプと、
を有することを特徴とする光伝送システム。
【００７８】
（付記２）  前記光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする付記１記載の光伝送システム。
【００７９】
（付記３）  前記光結合部は、端局装置が送出した試験光を第１ポートから第２ポートへ通過させて対向へ送出し、試験反射光を第２ポートから受信して第３ポートへ出力して、第３ポートに接続した前記反射器で反射された試験反射光を、第３ポートから第１ポートへ出力させることで、試験反射光を端局装置へ戻すことを特徴とする付記２記載の光伝送システム。
【００８０】
（付記４）  端局装置の送信側に設けられる送信リモートアンプにおいて、
遠隔から送信された励起光により光主信号を増幅する光増幅部と、
試験反射光を反射する反射器と、
前記光増幅部の出力段に設置され、光の進行方向によって結合するポートが異なる機能を持ち、試験光を対向へ送出し、かつ前記反射器から反射された試験反射光を、試験光を送出した端局装置へ戻す光結合部と、
を有することを特徴とする送信リモートアンプ。
【００８１】
（付記５）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験光を反射する反射器と、前記光増幅部の入力段に設置され、光の進行方向によって結合するポートが異なる機能を持ち、試験反射光を試験光を送出した端局装置へ送出し、かつ前記反射器で反射された試験光を対向へ送出する光結合部と、から構成され、端局装置の受信側に設けられる受信リモートアンプと、
を有することを特徴とする光伝送システム。
【００８２】
（付記６）  前記光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする付記５記載の光伝送システム。
【００８３】
（付記７）  前記光結合部は、端局装置が送出した試験光を第２ポートから受信して第３ポートへ出力して、第３ポートに接続した前記反射器で反射された試験光を第３ポートから第１ポートへ出力させて対向へ送出し、試験反射光を第１ポートから第２ポートへ通過させることで、試験反射光を端局装置へ戻すことを特徴とする付記６記載の光伝送システム。
【００８４】
（付記８）  端局装置の受信側に設けられる受信リモートアンプにおいて、
遠隔から送信された励起光により光主信号を増幅する光増幅部と、
試験光を反射する反射器と、
前記光増幅部の入力段に設置され、光の進行方向によって結合するポートが異なる機能を持ち、試験反射光を試験光を送出した端局装置へ送出し、かつ前記反射器で反射された試験光を対向へ送出する光結合部と、
を有することを特徴とする受信リモートアンプ。
【００８５】
（付記９）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する第１の光増幅部と、試験反射光を反射する第１の反射器と、前記第１の光増幅部の出力段に設置され、光の進行方向によって結合するポートが異なる機能を持ち、試験光を対向へ送出し、かつ前記第１の反射器から反射された試験反射光を、試験光を送出した端局装置へ戻す第１の光結合部と、から構成され、端局装置の送信側に設けられる送信リモートアンプと、
遠隔から送信された励起光により光主信号を増幅する第２の光増幅部と、試験光を反射する第２の反射器と、前記第２の光増幅部の入力段に設置され、光の進行方向によって結合するポートが異なる機能を持ち、試験反射光を試験光を送出した端局装置へ送出し、かつ前記第２の反射器で反射された試験光を対向へ送出する第２の光結合部と、から構成され、端局装置の受信側に設けられる受信リモートアンプと、
を有することを特徴とする光伝送システム。
【００８６】
（付記１０）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験反射光を反射する第１の反射器と、前記光増幅部の入力段に設置され、光の進行方向によって結合するポートが異なる機能を持ち、試験光を対向へ送出し、かつ前記第１の反射器で反射された試験反射光を、試験光を送出した端局装置へ戻す入力段光結合部と、試験反射光を反射する第２の反射器と、前記光増幅部の出力段に設置され、光の進行方向によって結合するポートが異なる機能を持ち、試験光を対向へ送出し、かつ前記第２の反射器で反射された試験反射光を、試験光を送出した端局装置へ戻す出力段光結合部と、から構成され、端局装置の送信側に設けられる送信リモートアンプと、
を有することを特徴とする光伝送システム。
【００８７】
（付記１１）  前記入力段光結合部及び前記出力段光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする付記１０記載の光伝送システム。
【００８８】
（付記１２）  前記入力段光結合部は、送信側端局装置が送出した試験光を、第１ポートから第２ポートへ通過させ、前記出力段光結合部は、前記光増幅部を介して受信した試験光を、第１ポートから第２ポートへ通過させて対向へ送出し、前記出力段光結合部は、試験反射光を第２ポートから受信して第３ポートへ出力して、第３ポートに接続した前記第２の反射器で反射された試験反射光を、第３ポートから第１ポートへ出力させ、前記入力段光結合部は、前記光増幅部を介して受信した試験反射光を、第２ポートから受信して第３ポートへ出力して、第３ポートに接続した前記第１の反射器で反射された試験反射光を、第３ポートから第１ポートへ出力させることで、試験反射光を前記送信側端局装置へ戻すことを特徴とする付記１１記載の光伝送システム。
【００８９】
（付記１３）  端局装置の送信側に設けられる送信リモートアンプにおいて、
遠隔から送信された励起光により光主信号を増幅する光増幅部と、
試験反射光を反射する第１の反射器と、
前記光増幅部の入力段に設置され、光の進行方向によって結合するポートが異なる機能を持ち、試験光を対向へ送出し、かつ前記第１の反射器で反射された試験反射光を、試験光を送出した端局装置へ戻す入力段光結合部と、
試験反射光を反射する第２の反射器と、
前記光増幅部の出力段に設置され、光の進行方向によって結合するポートが異なる機能を持ち、試験光を対向へ送出し、かつ前記第２の反射器で反射された試験反射光を、試験光を送出した端局装置へ戻す出力段光結合部と、
を有することを特徴とする送信リモートアンプ。
【００９０】
（付記１４）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験光を反射する第１の反射器と、前記光増幅部の出力段に設置され、光の進行方向によって結合するポートが異なる機能を持ち、試験反射光を試験光を送出した端局装置へ送出し、かつ前記第１の反射器で反射された試験光を、対向へ送出する出力段光結合部と、試験光を反射する第２の反射器と、前記光増幅部の入力段に設置され、光の進行方向によって結合するポートが異なる機能を持ち、試験反射光を試験光を送出した端局装置へ送出し、かつ前記第２の反射器で反射された試験光を、対向へ送出する入力段光結合部と、から構成され、端局装置の受信側に設けられる受信リモートアンプと、
を有することを特徴とする光伝送システム。
【００９１】
（付記１５）  前記入力段光結合部及び前記出力段光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする付記１４記載の光伝送システム。
【００９２】
（付記１６）  前記出力段光結合部は、端局装置が送出した試験光を、第２ポートから受信して第３ポートへ出力して、第３ポートに接続した前記第１の反射器で反射された試験光を第３ポートから第１ポートへ出力させ、前記入力段光結合部は、前記光増幅部を介して受信した試験光を第２ポートから受信して第３ポートへ出力して、第３ポートに接続した前記第２の反射器で反射された試験光を第３ポートから第１ポートへ出力させて対向へ送出し、前記入力段光結合部は、試験反射光を第１ポートから第２ポートへ通過させ、前記出力段光結合部は、前記光増幅部を介して受信した試験反射光を、第１ポートから第２ポートへ通過させることで、試験反射光を端局装置へ戻すことを特徴とする付記１５記載の光伝送システム。
【００９３】
（付記１７）  前記出力段光結合部の第３ポートに接続する前記第１の反射器は、試験光と、端局装置から送出される励起光と、を反射させることを特徴とする付記１６記載の光伝送システム。
【００９４】
（付記１８）  端局装置の受信側に設けられる受信リモートアンプにおいて、
遠隔から送信された励起光により光主信号を増幅する光増幅部と、
試験光を反射する第１の反射器と、
前記光増幅部の出力段に設置され、光の進行方向によって結合するポートが異なる機能を持ち、試験反射光を試験光を送出した端局装置へ送出し、かつ前記第１の反射器で反射された試験光を、対向へ送出する出力段光結合部と、
試験光を反射する第２の反射器と、
前記光増幅部の入力段に設置され、光の進行方向によって結合するポートが異なる機能を持ち、試験反射光を試験光を送出した端局装置へ送出し、かつ前記第２の反射器で反射された試験光を、対向へ送出する入力段光結合部と、
を有することを特徴とする受信リモートアンプ。
【００９５】
（付記１９）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する第１の光増幅部と、試験反射光を反射する第１の反射器と、前記第１の光増幅部の入力段に設置され、光の進行方向によって結合するポートが異なる機能を持ち、試験光を対向へ送出し、かつ前記第１の反射器で反射された試験反射光を、試験光を送出した端局装置へ戻す送信側入力段光結合部と、試験反射光を反射する第２の反射器と、前記第１の光増幅部の出力段に設置され、光の進行方向によって結合するポートが異なる機能を持ち、試験光を対向へ送出し、かつ前記第２の反射器で反射された試験反射光を、試験光を送出した端局装置へ戻す送信側出力段光結合部と、から構成され、端局装置の送信側に設けられる送信リモートアンプと、
遠隔から送信された励起光により光主信号を増幅する第２の光増幅部と、試験光を反射する第３の反射器と、前記第２の光増幅部の出力段に設置され、光の進行方向によって結合するポートが異なる機能を持ち、試験反射光を試験光を送出した端局装置へ送出し、かつ前記第３の反射器で反射された試験光を、対向へ送出する受信側出力段光結合部と、試験光を反射する第４の反射器と、前記第２の光増幅部の入力段に設置され、光の進行方向によって結合するポートが異なる機能を持ち、試験反射光を試験光を送出した端局装置へ送出し、かつ前記第４の反射器で反射された試験光を、対向へ送出する受信側入力段光結合部と、から構成され、端局装置の受信側に設けられる受信リモートアンプと、
を有することを特徴とする光伝送システム。
【００９６】
（付記２０）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験反射光を透過する光フィルタ部と、前記光増幅部の入力段に設置され、光の進行方向によって結合するポートが異なる機能を持ち、試験光を対向へ送出し、かつ前記光フィルタ部で透過された試験反射光を、試験光を送出した端局装置へ戻す入力段光結合部と、前記光増幅部の出力段に設置され、光の進行方向によって結合するポートが異なる機能を持ち、試験光を対向へ送出し、かつ前記光フィルタ部へ試験反射光を送出する出力段光結合部と、から構成され、端局装置の送信側に設けられる送信リモートアンプと、
を有することを特徴とする光伝送システム。
【００９７】
（付記２１）  前記入力段光結合部及び前記出力段光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする付記２０記載の光伝送システム。
【００９８】
（付記２２）  前記入力段光結合部は、端局装置が送出した試験光を、第１ポートから第２ポートへ通過させ、前記出力段光結合部は、前記光増幅部を介して受信した試験光を、第１ポートから第２ポートへ通過させて対向へ送出し、前記出力段光結合部は、試験反射光を第２ポートから受信して第３ポートへ出力して、前記光フィルタ部は、前記出力段光結合部の第３ポートから入力した試験反射光を透過させ、前記入力段光結合部は、前記光フィルタ部から出力した試験反射光を、第３ポートから第１ポートへ出力させて、試験反射光を端局装置へ戻すことを特徴とする付記２１記載の光伝送システム。
【００９９】
（付記２３）  端局装置の送信側に設けられる送信リモートアンプにおいて、
遠隔から送信された励起光により光主信号を増幅する光増幅部と、
試験反射光を透過する光フィルタ部と、
前記光増幅部の入力段に設置され、光の進行方向によって結合するポートが異なる機能を持ち、試験光を対向へ送出し、かつ前記光フィルタ部で透過された試験反射光を、試験光を送出した端局装置へ戻す入力段光結合部と、
前記光増幅部の出力段に設置され、光の進行方向によって結合するポートが異なる機能を持ち、試験光を対向へ送出し、かつ前記光フィルタ部へ試験反射光を送出する出力段光結合部と、
を有することを特徴とする送信リモートアンプ。
【０１００】
（付記２４）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する光増幅部と、試験反射光を透過する光フィルタ部と、前記光増幅部の出力段に設置され、光の進行方向によって結合するポートが異なる機能を持ち、試験反射光を試験光を送出した端局装置へ戻し、かつ前記光フィルタ部へ試験光を送出する出力段光結合部と、前記光増幅部の入力段に設置され、光の進行方向によって結合するポートが異なる機能を持ち、試験反射光を試験光を送出した端局装置へ送出し、かつ前記光フィルタ部で透過された試験光を、対向へ送出する入力段光結合部と、から構成され、端局装置の受信側に設けられる受信リモートアンプと、
を有することを特徴とする光伝送システム。
【０１０１】
（付記２５）  前記入力段光結合部及び前記出力段光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする付記２４記載の光伝送システム。
【０１０２】
（付記２６）  前記出力段光結合部は、端局装置が送出した試験光を、第２ポートから受信して第３ポートへ出力して、前記光フィルタ部は、前記出力段光結合部の第３ポートから入力した試験光を透過させ、前記入力段光結合部は、前記光フィルタ部から出力した試験光を、第３ポートから第１ポートへ出力させて対向へ送出し、前記入力段光結合部は、試験反射光を第１ポートから第２ポートへ通過させ、前記出力段光結合部は、前記光増幅部を介して受信した試験反射光を、第１ポートから第２ポートへ通過させることで、試験反射光を端局装置へ戻すことを特徴とする付記２５記載の光伝送システム。
【０１０３】
（付記２７）  前記光フィルタ部は、試験光を透過させ、端局装置から送出される励起光を反射させることを特徴とする付記２６記載の光伝送システム。
（付記２８）  端局装置の受信側に設けられる受信リモートアンプにおいて、
遠隔から送信された励起光により光主信号を増幅する光増幅部と、
試験反射光を透過する光フィルタ部と、
前記光増幅部の出力段に設置され、光の進行方向によって結合するポートが異なる機能を持ち、試験反射光を試験光を送出した端局装置へ戻し、かつ前記光フィルタ部へ試験光を送出する出力段光結合部と、
前記光増幅部の入力段に設置され、光の進行方向によって結合するポートが異なる機能を持ち、試験反射光を試験光を送出した端局装置へ送出し、かつ前記光フィルタ部で透過された試験光を、対向へ送出する入力段光結合部と、
を有することを特徴とする受信リモートアンプ。
【０１０４】
（付記２９）  無中継の光伝送を行う光伝送システムにおいて、
光ファイバに試験光を送出し、試験反射光を同一光ファイバから受信することで、光ファイバ上の障害箇所を標定する障害点標定部を有する端局装置と、
遠隔から送信された励起光により光主信号を増幅する第１の光増幅部と、試験反射光を透過する第１の光フィルタ部と、前記第１の光増幅部の入力段に設置され、光の進行方向によって結合するポートが異なる機能を持ち、試験光を対向へ送出し、かつ前記第１の光フィルタ部で透過された試験反射光を、試験光を送出した端局装置へ戻す送信側入力段光結合部と、前記第１の光増幅部の出力段に設置され、光の進行方向によって結合するポートが異なる機能を持ち、試験光を対向へ送出し、かつ前記第１の光フィルタ部へ試験反射光を送出する送信側出力段光結合部と、から構成され、端局装置の送信側に設けられる送信リモートアンプと、
遠隔から送信された励起光により光主信号を増幅する第２の光増幅部と、試験反射光を透過する第２の光フィルタ部と、前記第２の光増幅部の出力段に設置され、光の進行方向によって結合するポートが異なる機能を持ち、試験反射光を試験光を送出した端局装置へ戻し、かつ前記第２の光フィルタ部へ試験光を送出する受信側出力段光結合部と、前記第２の光増幅部の入力段に設置され、光の進行方向によって結合するポートが異なる機能を持ち、試験反射光を試験光を送出した端局装置へ送出し、かつ前記第２の光フィルタ部で透過された試験光を、対向へ送出する受信側入力段光結合部と、から構成され、端局装置の受信側に設けられる受信リモートアンプと、
を有することを特徴とする光伝送システム。
【０１０５】
（付記３０）  光通信を行う端局装置において、
光主信号の送信を行う光主信号送信部と、励起光を出力する送信側励起光出力部と、光ファイバに試験光を送出し、試験反射光を受信することで、光ファイバ上の障害箇所を標定する送信側障害点標定部と、光主信号と励起光と試験光とを多重して光ファイバ上へ送出し、戻ってきた試験反射光を前記送信側障害点標定部へ送出する送信側光合成部と、から構成される送信部と、
光主信号の受信を行う光主信号受信部と、励起光を出力する受信側励起光出力部と、光ファイバに試験光を送出し、試験反射光を受信することで、光ファイバ上の障害箇所を標定する受信側障害点標定部と、励起光と試験光とを多重して光ファイバ上へ送出し、光主信号を光主信号受信部へ送出し、戻ってきた試験反射光を前記受信側障害点標定部へ送出する受信側光合成部と、から構成される受信部と、
を有することを特徴とする端局装置。
【０１０６】
（付記３１）  無中継の光伝送を行う光伝送システムにおいて、
光ファイバに第１の波長の試験光または第２の波長の試験光を送出し、第１の波長の試験反射光または第２の波長の試験反射光を同一光ファイバから受信することで、光ファイバ上の障害箇所を標定する障害点標定部を有する端局装置と、
遠隔から送信された励起光により光主信号を増幅する光増幅部と、第１の波長の試験反射光を透過し、第２の試験反射光を反射する光フィルタ部と、前記光増幅部の入力段に設置され、光の進行方向によって結合するポートが異なる機能を持ち、第１の波長の試験光または第２の波長の試験光を対向へ送出し、第１の波長の試験反射光は、前記光フィルタ部を介して受信して、第１の波長の試験光を送出した端局装置へ戻し、第２の波長の試験反射光は、前記光増幅部を介して受信して、第２の波長の試験光を送出した端局装置へ戻す入力段光結合部と、前記光増幅部の出力段に設置され、光の進行方向によって結合するポートが異なる機能を持ち、第１の波長の試験光または第２の波長の試験光を対向へ送出し、第１の波長の試験反射光は、前記光フィルタ部へ迂回させ、前記光フィルタ部で反射された第２の波長の試験反射光は、前記光増幅部を通過させる出力段光結合部と、から構成され、端局装置の送信側に設けられる送信リモートアンプと、
を有することを特徴とする光伝送システム。
【０１０７】
（付記３２）  前記入力段光結合部及び前記出力段光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする付記３１記載の光伝送システム。
【０１０８】
（付記３３）  前記入力段光結合部は、端局装置が送出した第１の波長の試験光を、第１ポートから第２ポートへ通過させ、前記出力段光結合部は、前記光増幅部を介して受信した第１の波長の試験光を、第１ポートから第２ポートへ通過させて対向へ送出し、前記出力段光結合部は、第１の波長の試験反射光を第２ポートから受信して第３ポートへ出力して、前記光フィルタ部は、前記出力段光結合部の第３ポートから入力した第１の波長の試験反射光を透過させ、前記入力段光結合部は、前記光フィルタ部から出力した第１の波長の試験反射光を、第３ポートから第１ポートへ出力させて、第１の波長の試験反射光を前記送信側端局装置へ戻すことを特徴とする付記３２記載の光伝送システム。
【０１０９】
（付記３４）  前記入力段光結合部は、端局装置が送出した第２の波長の試験光を、第１ポートから第２ポートへ通過させ、前記出力段光結合部は、前記光増幅部を介して受信した第２の波長の試験光を、第１ポートから第２ポートへ通過させて対向へ送出し、前記出力段光結合部は、第２の波長の試験反射光を第２ポートから受信して第３ポートへ出力して、前記光フィルタ部は、前記出力段光結合部の第３ポートから入力した第２の波長の試験反射光を反射させ、前記出力段光結合部は、反射された第２の波長の試験反射光を第３ポートから第１ポートへ出力し、前記入力段光結合部は、前記光増幅部を介して受信した第２の波長の試験反射光を第２ポートから受信して第３ポートへ出力し、前記光フィルタは、前記入力段光結合部の第３ポートから入力した第２の波長の試験反射光を反射させ、前記入力段光結合部は、反射された第２の波長の試験反射光を第３ポートから第１ポートへ出力することで、第２の波長の試験反射光を端局装置へ戻すことを特徴とする付記３２記載の光伝送システム。
【０１１０】
（付記３５）  端局装置の送信側に設けられる送信リモートアンプにおいて、
遠隔から送信された励起光により光主信号を増幅する光増幅部と、
第１の試験反射光を透過し、第２の試験反射光を反射する光フィルタ部と、
前記光増幅部の入力段に設置され、光の進行方向によって結合するポートが異なる機能を持ち、第１の波長の試験光または第２の波長の試験光を対向へ送出し、第１の波長の試験反射光は、前記光フィルタ部を介して受信して、第１の波長の試験光を送出した端局装置へ戻し、第２の波長の試験反射光は、前記光増幅部を介して受信して、第２の波長の試験光を送出した端局装置へ戻す入力段光結合部と、
前記光増幅部の出力段に設置され、光の進行方向によって結合するポートが異なる機能を持ち、第１の波長の試験光または第２の波長の試験光を対向へ送出し、第１の波長の試験反射光は、前記光フィルタ部へ迂回させ、前記光フィルタ部で反射された第２の波長の試験反射光は、前記光増幅部を通過させる出力段光結合部と、
を有することを特徴とする送信リモートアンプ。
【０１１１】
（付記３６）  無中継の光伝送を行う光伝送システムにおいて、
光ファイバに第１の波長の試験光または第２の波長の試験光を送出し、第１の波長の試験反射光または第２の波長の試験反射光を同一光ファイバから受信することで、光ファイバ上の障害箇所を標定する障害点標定部を有する端局装置と、
遠隔から送信された励起光により光主信号を増幅する光増幅部と、第１の波長の試験光を透過し、第２の波長の試験光を反射する光フィルタ部と、前記光増幅部の出力段に設置され、光の進行方向によって結合するポートが異なる機能を持ち、第１の波長の試験光は前記光フィルタ部へ迂回させ、前記光フィルタ部で反射された第２の波長の試験光は、前記光増幅部を通過させ、第１の波長の試験反射光または第２の波長の試験反射光を第１の波長の試験光または第２の波長の試験光を送出した端局装置へ戻す出力段光結合部と、前記光増幅部の入力段に設置され、光の進行方向によって結合するポートが異なる機能を持ち、第１の波長の試験光または第２の波長の試験光を対向へ送出し、第１の波長の試験反射光または第２の波長の試験反射光を第１の波長の試験光または第２の波長の試験光を送出した端局装置へ戻す入力段結合部と、から構成される受信リモートアンプと、
を有することを特徴とする光伝送システム。
【０１１２】
（付記３７）  前記入力段光結合部及び前記出力段光結合部は、３ポートを有し、第１ポートに入力した光を第２ポートから出力し、第２ポートに入力した光を第３ポートから出力し、第３ポートに入力した光を第１ポートから出力する循環型のポート構成を持つことを特徴とする付記３６記載の光伝送システム。
【０１１３】
（付記３８）  前記出力段光結合部は、端局装置が送出した第１の波長の試験光を、第２ポートから受信して第３ポートへ出力して、前記光フィルタは、前記出力段光結合部の第３ポートから入力した第１の波長の試験光を透過させ、前記入力段光結合部は、前記光フィルタ部から出力した第１の波長の試験光を、第３ポートから第１ポートへ出力させて、第１の波長の試験光を対向へ送出し、前記入力段光結合部は、第１の波長の試験反射光を第１ポートから第２ポートへ通過させ、前記出力段光結合部は、前記光増幅部を介して受信した第１の波長の試験光を、第１ポートから第２ポートへ通過させて、端局装置へ戻すことを特徴とする付記３７記載の光伝送システム。
【０１１４】
（付記３９）  前記出力段光結合部は、端局装置が送出した第２の波長の試験光を、第２ポートから受信して第３ポートへ出力して、前記光フィルタは、前記出力段光結合部の第３ポートから入力した第２の波長の試験光を反射させ、前記出力段光結合部は、反射された第２の波長の試験光を第３ポートから第１ポートへ出力し、前記入力段光結合部は、前記光増幅部を介して受信した第２の波長の試験光を第２ポートから受信して第３ポートへ出力し、前記光フィルタは、前記入力段光結合部の第３ポートから入力した第２の波長の試験光を反射させ、前記入力段光結合部は、反射された第２の波長の試験光を第３ポートから第１ポートへ出力することで、第２の波長の試験光を対向へ送出し、前記入力段光結合部は、第２の波長の試験反射光を第１ポートから第２ポートへ通過させ、前記出力段光結合部は、前記光増幅部を介して受信した第２の波長の試験反射光を、第１ポートから第２ポートへ通過させて、端局装置へ戻すことを特徴とする付記３７記載の光伝送システム。
【０１１５】
（付記４０）  前記光フィルタ部は、第１の波長の試験光及び第２の波長の試験光を透過させ、端局装置から送出される励起光を反射させることを特徴とする付記３６記載の光伝送システム。
【０１１６】
（付記４１）  端局装置の受信側に設けられる受信リモートアンプにおいて、
遠隔から送信された励起光により光主信号を増幅する光増幅部と、
第１の波長の試験光を透過し、第２の波長の試験光を反射する光フィルタ部と、
前記光増幅部の出力段に設置され、光の進行方向によって結合するポートが異なる機能を持ち、第１の波長の試験光は前記光フィルタ部へ迂回させ、前記光フィルタ部で反射された第２の波長の試験光は、前記光増幅部を通過させ、第１の波長の試験反射光または第２の波長の試験反射光を第１の波長の試験光または第２の波長の試験光を送出した端局装置へ戻す出力段光結合部と、
前記光増幅部の入力段に設置され、光の進行方向によって結合するポートが異なる機能を持ち、第１の波長の試験光または第２の波長の試験光を対向へ送出し、第１の波長の試験反射光または第２の波長の試験反射光を第１の波長の試験光または第２の波長の試験光を送出した端局装置へ戻す入力段結合部と、
を有することを特徴とする受信リモートアンプ。
【０１１７】
（付記４２）  無中継の光伝送を行う光伝送システムにおいて、
光ファイバに第１の波長の試験光または第２の波長の試験光を送出し、第１の波長の試験反射光または第２の波長の試験反射光を同一光ファイバから受信することで、光ファイバ上の障害箇所を標定する障害点標定部を有する端局装置と、
遠隔から送信された励起光により光主信号を増幅する第１の光増幅部と、第１の波長の試験反射光を透過し、第２の波長の試験反射光を反射する第１の光フィルタ部と、前記第１の光増幅部の入力段に設置され、光の進行方向によって結合するポートが異なる機能を持ち、第１の波長の試験光または第２の波長の試験光を対向へ送出し、第１の波長の試験反射光は、前記第１の光フィルタ部を介して受信して、第１の波長の試験光を送出した端局装置へ戻し、第２の波長の試験反射光は、前記第１の光増幅部を介して受信して、第２の波長の試験光を送出した端局装置へ戻す送信側入力段光結合部と、前記第１の光増幅部の出力段に設置され、光の進行方向によって結合するポートが異なる機能を持ち、第１の波長の試験光または第２の波長の試験光を対向へ送出し、第１の波長の試験反射光は、前記第１の光フィルタ部へ迂回させ、前記第１の光フィルタ部で反射された第２の波長の試験反射光は、前記第１の光増幅部へ通過させる送信側出力段光結合部と、から構成され、端局装置の送信側に設けられる送信リモートアンプと、
遠隔から送信された励起光により光主信号を増幅する第２の光増幅部と、第１の波長の試験光を透過し、第２の波長の試験光を反射する第２の光フィルタ部と、前記第２の光増幅部の出力段に設置され、光の進行方向によって結合するポートが異なる機能を持ち、第１の波長の試験光は前記第２の光フィルタ部へ迂回させ、前記第２の光フィルタ部で反射された第２の波長の試験光は、前記第２の光増幅部へ通過させ、第１の波長の試験反射光または第２の波長の試験反射光を第１の波長の試験光または第２の波長の試験光を送出した端局装置へ戻す受信側出力段光結合部と、前記第２の光増幅部の入力段に設置され、光の進行方向によって結合するポートが異なる機能を持ち、第１の波長の試験光または第２の波長の試験光を対向へ送出し、第１の波長の試験反射光または第２の波長の試験反射光を第１の波長の試験光または第２の波長の試験光を送出した端局装置へ戻す受信側入力段結合部と、から構成される受信リモートアンプと、
を有することを特徴とする光伝送システム。
【０１１８】
（付記４３）  無中継の光伝送を行う光伝送システムにおいて、
光ファイバに試験光を送出し、試験反射光を同一光ファイバから受信することで、光ファイバ上の障害箇所を標定する障害点標定部と、光主信号が流れる光ファイバとは異なる別回線から励起光を送出する励起光送出部と、を有する端局装置と、
前記励起光により光主信号を増幅する光増幅部と、前記別回線からの前記励起光を前記光増幅部へ入力する光カプラと、試験光を反射する反射器と、前記光増幅部の出力段に設置され、光の進行方向によって結合するポートが異なる機能を持ち、試験反射光を試験光を送出した端局装置へ戻し、かつ前記反射器で反射された試験光を、対向へ送出する光結合部と、から構成され、端局装置の受信側に設けられる受信リモートアンプと、
を有することを特徴とする光伝送システム。
【０１１９】
（付記４４）  端局装置の受信側に設けられる受信リモートアンプにおいて、
前記励起光により光主信号を増幅する光増幅部と、
前記別回線からの前記励起光を前記光増幅部へ入力する光カプラと、
試験光を反射する反射器と、
前記光増幅部の出力段に設置され、光の進行方向によって結合するポートが異なる機能を持ち、試験反射光を試験光を送出した端局装置へ戻し、かつ前記反射器で反射された試験光を、対向へ送出する光結合部と、
を有することを特徴とする受信リモートアンプ。
【０１２０】
（付記４５）  無中継の光伝送を行う光伝送システムにおいて、
光ファイバに試験光を送出し、試験反射光を同一光ファイバから受信することで、光ファイバ上の障害箇所を標定する障害点標定部と、光主信号が流れる光ファイバとは異なる別回線から励起光を送出する励起光送出部と、を有する端局装置と、
光主信号を増幅する光増幅部と、前記別回線からの前記励起光を透過し、試験光を反射する反射器と、前記光増幅部の出力段に設置され、光の進行方向によって結合するポートが異なる機能を持ち、試験反射光を試験光を送出した端局装置へ戻し、かつ前記反射器により透過された前記励起光を前記光増幅部へ送出し、前記反射器により反射された試験光を対向へ送出する光結合部と、から構成され、端局装置の受信側に設けられる受信リモートアンプと、
を有することを特徴とする光伝送システム。
【０１２１】
（付記４６）  端局装置の受信側に設けられる受信リモートアンプにおいて、
光主信号を増幅する光増幅部と、
前記別回線からの前記励起光を透過し、試験光を反射する反射器と、
前記光増幅部の出力段に設置され、光の進行方向によって結合するポートが異なる機能を持ち、試験反射光を試験光を送出した端局装置へ戻し、かつ前記反射器により透過された前記励起光を前記光増幅部へ送出し、前記反射器により反射された試験光を対向へ送出する光結合部と、
を有することを特徴とする受信リモートアンプ。
【０１２２】
（付記４７）  無中継の光伝送を行う光伝送システムにおいて、
第１の光ファイバから第１の試験光を送出し、第１の試験光による試験反射光を受信することで、リモートアンプと自装置との間の第１の光ファイバ上の障害箇所を標定し、第２の試験光による試験反射光を受信することで、対向側の第１の光ファイバ上の障害箇所を標定する第１の障害点標定部と、第２の光ファイバから励起光及び第２の試験光を送出し、第２の試験光による試験反射光を受信することで、リモートアンプと自装置との間の第２の光ファイバ上の障害箇所を標定する第２の障害点標定部と、を有する端局装置と、
励起光により光主信号を増幅する光増幅部と、前記光増幅部の出力段に設置され、光の進行方向によって結合するポートが異なる機能を持ち、第２の光ファイバからの励起光を前記光増幅部へ送出し、第２の試験光を対向へ送出し、第２の試験光による試験反射光を第１の光ファイバを通じて端局装置に戻す光結合部と、から構成され、端局装置の受信側に設けられる受信リモートアンプと、
を有することを特徴とする光伝送システム。
【０１２３】
（付記４８）  光通信を行う端局装置において、
第１の光ファイバから第１の試験光を送出し、第１の試験光による試験反射光を受信することで、リモートアンプと自装置との間の第１の光ファイバ上の障害箇所を標定し、第２の試験光による試験反射光を受信することで、対向側の第１の光ファイバ上の障害箇所を標定する第１の障害点標定部と、
第２の光ファイバから励起光及び第２の試験光を送出し、第２の試験光による試験反射光を受信することで、リモートアンプと自装置との間の第２の光ファイバ上の障害箇所を標定する第２の障害点標定部と、
を有することを特徴とする端局装置。
【０１２４】
（付記４９）  端局装置の受信側に設けられる受信リモートアンプにおいて、
励起光により光主信号を増幅する光増幅部と、
前記光増幅部の出力段に設置され、光の進行方向によって結合するポートが異なる機能を持ち、第２の光ファイバからの励起光を前記光増幅部へ送出し、第２の試験光を対向へ送出し、第２の試験光による試験反射光を第１の光ファイバを通じて端局装置に戻す光結合部と、
を有することを特徴とする受信リモートアンプ。
【０１２５】
（付記５０）  無中継の光伝送を行う光伝送システムにおいて、
光主信号が流れる光ファイバとは異なる別回線から励起光及び試験光を送出し、試験反射光を同一光ファイバから受信することで、光ファイバ上の障害箇所を標定する端局装置と、
励起光により光主信号を増幅する光増幅部と、別回線からの励起光を光主信号と同一方向に前記光増幅部へ入力する光カプラと、前記光増幅部の出力段に設置され、光の進行方向によって結合するポートが異なる機能を持ち、別回線からの試験光を対向へ送出し、試験反射光を光ファイバを通じて、試験光を送出した端局装置へ戻す光結合部と、から構成され、端局装置の受信側に設けられる受信リモートアンプと、
を有することを特徴とする光伝送システム。
【０１２６】
（付記５１）  端局装置の受信側に設けられる受信リモートアンプにおいて、
励起光により光主信号を増幅する光増幅部と、
光主信号が流れる光ファイバとは異なる別回線からの励起光を光主信号と同一方向に前記光増幅部へ入力する光カプラと、
前記光増幅部の出力段に設置され、光の進行方向によって結合するポートが異なる機能を持ち、別回線からの試験光を対向へ送出し、試験反射光を光ファイバを通じて、試験光を送出した端局装置へ戻す光結合部と、
を有することを特徴とする受信リモートアンプ。
【０１２７】
（付記５２）  無中継の光伝送を行う光伝送システムにおいて、
光ファイバに試験光を送出し、試験反射光を同一光ファイバから受信することで、光ファイバ上の障害箇所を標定する障害点標定部と、光ファイバにファイバ断監視信号を送出し、戻りのファイバ断監視信号を検出可能か否かを監視して、光ファイバの断を検出する光ファイバ断検出部と、を有する端局装置と、
遠隔から送信された励起光により光主信号を増幅する光増幅部と、試験光を反射し、ファイバ断監視信号を透過する反射器と、光の進行方向によって結合するポートが異なる機能を持ち、試験反射光を試験光を送出した端局装置へ戻し、かつ前記反射器を通じて、試験光を対向へ送出する光結合部と、前記反射器から透過された戻りのファイバ断監視信号を、ファイバ断監視信号を送出した端局装置へ戻すファイバ断監視信号折り返し部と、から構成されるリモートアンプと、
を有することを特徴とする光伝送システム。
【０１２８】
（付記５３）  光通信を行う端局装置において、
光ファイバに試験光を送出し、試験反射光を同一光ファイバから受信することで、光ファイバ上の障害箇所を標定する障害点標定部と、
光ファイバにファイバ断監視信号を送出し、戻りのファイバ断監視信号を検出可能か否かを監視して、光ファイバの断を検出する光ファイバ断検出部と、
を有することを特徴とする端局装置。
【０１２９】
（付記５４）  光増幅を行うリモートアンプにおいて、
遠隔から送信された励起光により光主信号を増幅する光増幅部と、
試験光を反射し、ファイバ断監視信号を透過する反射器と、
光の進行方向によって結合するポートが異なる機能を持ち、試験反射光を試験光を送出した端局装置へ戻し、かつ前記反射器を通じて、試験光を対向へ送出する光結合部と、
前記反射器から透過された戻りのファイバ断監視信号を、ファイバ断監視信号を送出した端局装置へ戻すファイバ断監視信号折り返し部と、
を有することを特徴とするリモートアンプ。
【０１３０】
【発明の効果】
以上説明したように、本発明の光伝送システムは、リモートアンプ内に光結合部及び反射器を設けて、光結合部は、光主信号の反射光を防ぎ、試験パルスを対向へ送出し、かつ反射器から反射された試験反射光を、試験パルスを送出した端局装置へ戻す構成とした。これにより、無中継のシステムに対して、伝送路上の全範囲の障害点標定を行うことができ、光伝送の信頼性の向上を図ることが可能になる。
【図面の簡単な説明】
【図１】
本発明の光伝送システムの原理図である。
【図２】
サーキュレータの光の進行方向を示す図である
【図３】
送信リモートアンプの動作を説明するための図である。
【図４】
受信リモートアンプの動作を説明するための図である。
【図５】
端局装置の構成を示す図である。
【図６】
ＥＤＦの入力段にアイソレータが設置されていない場合を示す図である。
【図７】
ＥＤＦの入力段にアイソレータが設置してある場合を示す図である。
【図８】
サーキュレータを２台用いた場合の送信リモートアンプを示す図である。
【図９】サーキュレータを２台用いた場合の受信リモートアンプを示す図である。
【図１０】第１の変形例の送信リモートアンプを示す図である。
【図１１】第１の変形例の受信リモートアンプを示す図である。
【図１２】第２の変形例の送信リモートアンプを示す図である。
【図１３】第２の変形例の受信リモートアンプを示す図である。
【図１４】励起光の送出の別回線が設けられた受信リモートアンプを示す図である。
【図１５】第１の変形例の受信リモートアンプを示す図である。
【図１６】第２の変形例の受信リモートアンプを示す図である。
【図１７】第３の変形例の受信リモートアンプを示す図である。
【図１８】ＯＴＤＲ及びファイバ断監視を行う本発明の光伝送システムを示す図である。
【図１９】ファイバ断監視信号折り返し部の構成を示す図である。
【図２０】ファイバ断監視信号折り返し部の構成を示す図である。
【図２１】リモートアンプが設置された従来の無中継システムの構成を示す図である。
【図２２】ＯＴＤＲの概要を示す図である。
【図２３】従来の無中継システムの問題点を示す図である。
【図２４】従来技術を説明するための図である。
【符号の説明】
１  光伝送システム
１０、２０  端局装置
１１、２１  送信部
１２、２２  受信部
１１ｃ  障害点標定部
３０、５０  送信リモートアンプ
４０、６０  受信リモートアンプ
３１  光増幅部
３２  反射器
３３  光結合器
【図１】
2004228813.tif 000003
【図２】
2004228813.tif 000004
【図３】
2004228813.tif 000005
【図４】
2004228813.tif 000006
【図５】
2004228813.tif 000007
【図６】
2004228813.tif 000008
【図７】
2004228813.tif 000009
【図８】
2004228813.tif 000010
【図９】
2004228813.tif 000011
【図１０】
2004228813.tif 000012
【図１１】
2004228813.tif 000013
【図１２】
2004228813.tif 000014
【図１３】
2004228813.tif 000015
【図１４】
2004228813.tif 000016
【図１５】
2004228813.tif 000017
【図１６】
2004228813.tif 000018
【図１７】
2004228813.tif 000019
【図１８】
2004228813.tif 000020
【図１９】
2004228813.tif 000021
【図２０】
2004228813.tif 000022
【図２１】
2004228813.tif 000023
【図２２】
2004228813.tif 000024
【図２３】
2004228813.tif 000025
【図２４】
2004228813.tif 000026